(57)【要約】      （修正有）【課題】生ゴミやペットの糞を生ゴミ等の回収日までの間、室内への腐敗臭なく保管するコールドボックスを提供する。【解決手段】コールドボックス１は、外ケース２及び内ケース３からなる収納庫４、冷却手段５、該収納庫４を密閉する開閉自在の蓋６、庫内冷却ファン７、内ケース３と冷却手段５との間に下側断熱部８、外ケース２と内ケース３との間に周面断熱部１０、該蓋６に蓋断熱部、及び内ケース３と外ケース２との間に冷却パイプ１２を備え、収納庫内４をマイナス２０℃に冷やす冷却能力をもつ。下側断熱部８と冷却手段５の間には、真空断熱材９が配設されている。真空断熱材９は、ガラス系繊維やシリカを樹脂製の多層フィルムで包み、高真空状態にすることで気体の熱伝導を限りなくゼロに近づけた断熱材である。【選択図】図１
0003228202.tif 000002
【実用新案登録請求の範囲】
【請求項１】
外ケース及び内ケースからなる収納庫、冷却手段、該収納庫を密閉する蓋、庫内冷却ファン、前記内ケースと前記冷却手段との間に下側断熱部、前記外ケースと前記内ケースとの間に周面断熱部、前記蓋に蓋断熱部、及び前記内ケースと前記外ケースとの間に冷却パイプを備え、
前記収納庫内をマイナス20℃に冷やす冷却能力をもつことを特徴とするコールドボックス（小型冷凍庫）
【請求項２】
前記下側断熱部に真空断熱材を配設した請求項１のコールドボックス
【請求項３】
前記冷却手段を冷却するための空気を送る冷却手段用冷却ファン、及び前記冷却手段用冷却ファンの前方及び後方に脱臭機能を有したフィルター部を備えた請求項１から請求項２のコールドボックス
【請求項４】
前記冷却手段がコンプレッサである請求項１から請求項３のコールドボックス
【請求項５】
前記冷却パイプに冷却手段からの冷媒が流れる請求項１から請求項４までのコールドボックス
【請求項６】
前記内ケースと前記外ケースとの間で前記外ケースの近傍に、スキンコンデンサを備えた請求項１から請求項６までのコールドボックス
【請求項７】
前記内ケースがカラー鋼板又はガルバニウム鋼板からなる請求項１から請求項6までのコールドボックス
【請求項８】
前記外ケースがステンレス鋼板からなる請求項１から請求項７までのコールドボックス
【請求項９】
前記周面断熱部、前記下側断熱部及び前記蓋断熱部が発泡ウレタンからなる請求項１から請求項８のコールドボックス
【考案の詳細な説明】
【技術分野】
【０００１】
ペットの糞、台所の生ゴミ等をゴミ回収日までの間、室内に腐敗臭なく保管する冷凍保管に関する技術分野である。
【背景技術】
【０００２】
ヒトは腐敗産物（アンモニア、硫化水素等）の臭いを嫌悪すべき感覚（腐敗臭）として認識する。生ゴミ等の腐敗は微生物によって発生し、一般に温度が下がるほど、微生物の細胞内の酵素活性が下がり、微生物は増殖しにくくなる。また、ペットの糞は汚物感や悪臭があり、水分も多い。一般に生ゴミ等は回収日までゴミ容器又はゴミ袋に収納した状態で建物内又は建物の近傍に保管されるが、生ゴミ等はゴミ容器又はゴミ袋に収納した場合でも悪臭の発生を免れない。このため、本人のみならず近隣の人々に不快感を与える。
【０００３】
このような状況において、実登３１３２００２公報は、一般家庭において生ずる生ゴミを保管する生ゴミ冷凍庫を開示している。
【先行技術文献】
【特許文献】
【０００４】
【特許文献１】実登３１３２００２
【考案の概要】
【考案が解決しようとする課題】
【０００５】
生ゴミやペットの糞などをゴミ回収日まで保管すると、腐敗し、悪臭が発生するという問題がある。
【０００６】
しかし、実登３１３２００２はペルチェ素子冷却式冷凍庫であり、冷凍能力が弱く、冷えないため、通電時間が長くなること、放熱部の冷却ファンの騒音が大きいこと、寿命が短いこと、設置する室内の埃や臭いを除去できないという課題がある。
【課題を解決するための手段】
【０００７】
上記課題を解決するために、本考案は、次のコ−ルドボックスを提供する。
【０００８】
外ケース及び内ケースからなる収納庫、冷却手段、該収納庫を密閉する蓋（扉）、庫内冷却ファン、前記内ケースと前記冷却手段との間に下側断熱部、前記外ケースと前記内ケースとの間に周面断熱部、及び前記内ケースと前記外ケースとの間に冷却パイプを備え、前記収納庫内をマイナス20℃に冷やす冷却能力をもつことを特徴とするコールドボックス（小型冷凍庫）。  
【０００９】
前記下側断熱部に真空断熱材を配設することにより前記冷却手段と前記内ケースとの間の断熱をよくすることによって、前記収納庫内をマイナス20℃に冷やす冷却能力にする。
【００１０】
前記冷却手段から発生する熱を冷やす空気を送る冷却手段用冷却ファンの前方及び後方に脱臭機能を有したフィルター部を備えることにより、前記冷却手段から放熱される熱を拡散させるとともに、前記コールドボックスに流入する空気及び流出する空気の埃を除却したり、前記コールドボックスの周りの臭いを削減または除去することができる。
【００１１】
前記冷却手段にコンプレッサを使用することにより、冷凍能力が高く、短時間で冷えるとともに、前記コンプレッサのＯＮ時間が短く省エネになり、１０年以上の長寿命である前記コールドボックスを実現する。
【００１２】
前記内ケースと前記外ケースの間であって、前記内ケースに接して、冷却手段からの冷媒が流れる冷却パイプを設けることにより、前記冷却手段により冷やした冷媒に前記収納庫の熱を効率的に移動させることができる。また、収納物を投入した後一定期間は、前記扉に設置した前記庫内冷却ファンにより、庫内の冷気を強制循環させ、収納物を短時間に、均一に冷却することができる。
【００１３】
前記内ケースと前記外ケースとの間で前記外ケースの近傍に、前記冷却手段からの廃熱により暖められた空気が通過するスキンコンデンサを設けることにより、前記外ケースの外面の結露を防止することができる。
【００１４】
前記内ケースをカラー鋼板又はガルバニウム鋼板により製作し、前記外ケースをステンレス鋼板で製作することにより、長期にわたり錆のでない前記コールドボックスにすることができる。
【００１５】
前記周面断熱材として発泡ウレタンを用いることにより、外ケースの外からの伝熱を防ぐことができる。
【考案の効果】
【００１６】
考案のコールドボックスにより、生ゴミやペットの糞を凍結保存することができ、生ゴミ等のゴミ回収日まで、生ゴミやペットの糞が腐敗することを防ぐとともに臭いの発生を抑止することができる。
【００１７】
本考案のコールドボックスは、冷却能力が高く、短時間で冷える。また、冷却手段のＯＮ時間が短く省エネである。さらに、冷却手段が１０年以上の長寿命である。
【００１８】
前記コールドボックスの下側断熱材に真空断熱材を配設することにより冷却手段からの伝熱を抑止し、前記周面断熱材の厚さを抑えることができ、前記コールドボックスの大きさを小さくすることができる。
【００１９】
前記前方フィルター部（プレフィルター）及び後方フィルター部（メインフィルター）によって、前記冷却手段の冷却のために流入する空気及び流出する空気の埃を除去したり、前記コールドボックスの周りの臭いを削減または除去することができる。
【図面の簡単な説明】
【００２０】
【図１】蓋を閉じた状態のコールドボックスの正面図
【図２】蓋を閉じた状態のコールドボックスの平面図
【図３】蓋を開けた状態のコールドボックスの正面図
【図４】蓋を開けた状態のコールドボックスの平面図（蓋の記載を省略）
【図５】製品仕様例（１）寸法を記入したコールドボックスの正面図及び平面図
【図６】製品仕様例（２）蓋の閉時状態及び開時状態におけるコールドボックスの平面図及び平面図
【図７】製品仕様例（３）蓋の閉時状態及び開時状態におけるコールドボックスの正面図及び平面図
【考案を実施するための形態】
【００２１】
次に、添付の図面を参照しながら実施例により本考案の実施の形態について詳しく説明する。
【実施例】
【００２２】
図１から図５までに本考案のコールドボックスの一例を示す。図１及び図３に示すように、コールドボックス１は、外ケース２及び内ケース３からなる収納庫４、冷却手段５、該収納庫４を密閉する開閉自在の蓋６、庫内冷却ファン７、前記内ケース３と前記冷却手段５との間に下側断熱部８、前記外ケース２と前記内ケース３との間に周面断熱部１０、該蓋６に蓋断熱部１１、及び前記内ケース３と前記外ケース２との間に冷却パイプ１２を備え、収納庫内４をマイナス２０℃に冷やす冷却能力をもつことを特徴とする小型冷凍機である。
【００２３】
前記下側断熱部8と前記冷却手段5の間には、真空断熱材９が配設されている。真空断熱材９は、ガラス系繊維やシリカ(ケイ素の粉体)を樹脂製の多層フィルムで包み、高真空状態にすることで気体の熱伝導を限りなくゼロに近づけた断熱材である。
【００２４】
前記冷却手段５として、レシプロ式コンプレッサが配設されており、図示されていない電源と接続しており、該電源からの電気によって稼働する。前記レシプロ式コンプレッサの放熱よる温度上昇を防ぐため、コンプ冷却ファン１４が配設されている。前記冷却ファン１４は図示されていない前記電源と接続しており、該電源からの電気によって稼働する。前期コンプ冷却ファン１４に流入する空気の前方には、前方フィルター部（プレフィルター）１５が配設され、前記コンプ冷却ファン１４から流出する空気の後方には、後方フィルター部（メインフィルター）１６が配設されている。これらの前記前方フィルター部１５及び前記後方フィルター部１６によって、前記コールドボックス１が置かれる室内の埃を除去したり、周りの臭いを削減または除去することができる。
【００２５】
前期内ケース３と前期外ケース２との間には、前記内ケース３に接するように冷却パイプ１２が螺旋状に配設され、その内部を冷却手段５からの冷媒が循環し、前記収納庫内４を冷却する。
【００２６】
前記冷却ファン７は、前記収納庫内４の空気を混合させ、伝熱を速めるとともに、前記収納庫内４の温度を均一にする。前記冷却ファン７は図示されていない前記電源と接続されており、該電源からの電気によって稼働する。
なお、前記冷却ファン７は、前記扉の開閉、収納物を投入した後一定時間動作し、タイマーにより自動停止する機能を有している。
【００２７】
前記内ケース３と前記外ケース２との間で、前記外ケース２に接するように、パイプ状のスキンコンデンサ１３が配設され、その内部を冷却手段５から放熱された熱により暖められた空気が流れる。前記スキンコンデンサ１３によって、前記外ケース２の外面の結露を防止することができる。
【００２８】
前記内ケース３の材料はカラー鋼板又はガルバニウム鋼板が使用されるが、これらに限られない。また、前記外ケース２の材料はステンレス鋼板が使用されるが、これに限られない。前期内ケース３及び前記外ケース２に、これらの材料を使用することにより、長期にわたり錆のでない、長年使用できるコールドボックス１の提供ができる。
【００２９】
前期下側断熱材８、前期周面断熱材１０及び前期蓋断熱材1１としては、発砲ウレタンが使用される。
【００３０】
図２において、操作・表示部１７では、温度設定を行うとともに、温度表示、警報表示などがなされる。前期外ケース２と前期蓋６の留め部１８としてカフスラッチが使用される。図５〜図７に製品例を示す。
【産業上の利用可能性】
【００３１】
考案したコールドボックスは、生ゴミやペットの糞を冷凍保存することができるため、生ゴミやペットの糞の腐敗を防ぎ、異臭の発生を抑制することができ、産業上の利用価値がある。
【符号の説明】
【００３２】
１：コールドボックス、２：外ケース、３：内ケース、４：収納庫、５：冷却手段、６：蓋、７：庫内冷却ファン、８：下側断熱部、９：真空断熱材、１０：周面断熱材、１１：蓋断熱部、１２：冷却パイプ、１３：スキンコンデンサ、１４：コンプ用冷却ファン、１５：前方フィルター部（プレフィルター）、１６：後方フィルター部（メインフィルター）、１７：操作・表示部、１８：留め部
【図１】
0003228202.tif 000003
【図２】
0003228202.tif 000004
【図３】
0003228202.tif 000005
【図４】
0003228202.tif 000006
【図５】
0003228202.tif 000007
【図６】
0003228202.tif 000008
【図７】
0003228202.tif 000009
【手続補正書】
【提出日】令和2年7月18日(2020.7.18)
【手続補正１】
【補正対象書類名】実用新案登録請求の範囲
【補正対象項目名】請求項１
【補正方法】変更
【補正の内容】
【請求項１】
外ケース及び内ケースからなる収納庫、冷却手段、該収納庫を密閉する蓋、庫内冷却ファン、前記内ケースと前記冷却手段との間に下側断熱部、前記外ケースと前記内ケースとの間に周面断熱部、前記蓋に蓋断熱部、及び前記内ケースと前記外ケースとの間に冷却パイプを備え、
前記収納庫内をマイナス20℃に冷やす冷却能力をもつことを特徴とするコールドボックス